(57)【要約】【課題】  現在印刷中のジョブや待機しているジョブの優先順位にもとづいて現在印刷中のジョブの処理を停止するのか、現在の印刷処理は停止せずに後続のジョブの処理を停止するのかをジョブの優先順位に応じて自動的に処理可能にする。【解決手段】   割り込み印刷ジョブを投入する場合は、割り込み用の一時停止コマンドを実行し、現在印刷中のジョブの印刷処理を一時停止する。優先印刷ジョブを投入する場合は、優先用の一時停止コマンドを実行し、現在印刷中のジョブの印刷が完了した時点で印刷処理を中断する。現在印刷中のジョブが優先ジョブの時に割り込み印刷ジョブを投入する場合は、優先用の一時停止コマンドを実行し、現在印刷中のジョブの印刷が完了した時点で印刷処理を中断する。上記のように、ジョブの緊急度に応じて印刷を優先させるジョブをユーザが任意に設定可能な印刷システムとする。【選択図】  図１
2008110576.tif 000002
【特許請求の範囲】
【請求項１】
印刷装置であって、
外部装置から印刷データを入力する入力手段、
前記印刷データの優先度を設定する優先度設定手段、
前記優先度に応じて印刷実行処理の順序を制御する印刷順序制御手段、
前記入力手段に入力された印刷データを解析し前記印刷順序制御手段での制御にもとづいて印刷処理を実行する印刷処理手段、
前記印刷処理手段における印刷実行処理を停止させるための指示を出す停止指示手段、
前記停止指示手段の指示に応じて印刷実行処理を停止させる停止手段、
前記停止手段によって停止された印刷処理を再開させる再開手段、
を備え、前記停止指示手段から印刷の一時停止要求を受けた際に、現在実行中の印刷データの優先度に応じて、現在印刷中の印刷データの印刷実行処理を前記停止手段によって停止させるのか、現在印刷中の印刷データの印刷実行処理は停止させずに、後続の印刷データの印刷実行処理を前記停止手段で停止するのかを制御することを特徴とする印刷装置。
【請求項２】
前記印刷装置において、前記停止指示手段からの指示にもとづいて前記停止手段で印刷実行処理を停止させる際に停止する位置を任意に設定するための停止位置設定手段を備えることを特徴とする請求項１記載の印刷装置。
【請求項３】
前記印刷装置において、前記停止手段によって停止された印刷実行処理を再開させる時の条件を設定する再開条件設定手段を備えることを特徴とする請求項１または請求項２記載の印刷装置。
【請求項４】
前記印刷装置において、前記停止手段によって印刷実行処理が停止された場合及び前記再開手段で印刷実行処理が再開された場合に、前記印刷データの送信元にジョブの状況を通知するジョブ状況通知手段を備えることを特徴とする請求項１記載の印刷装置。
【発明の詳細な説明】
【技術分野】
【０００１】
本発明は、印刷装置及びその印刷実行方法、並びに印刷実行のプログラムに関し、特に印刷を実行する際の優先順位を設定可能な印刷ジョブの処理方法に関する。
【背景技術】
【０００２】
従来、第三者（顧客、クライアント）から印刷物（雑誌、新聞、カタログ、広告、グラビア等）の作成依頼を受注し、該クライアントの所望の印刷物を作成し、それを該クライアントに納品することでクライアントから報酬を得る、所謂、商業的印刷業界では、現在でも、オフセット製版印刷機などの大規模な印刷装置等を用いているのが主流である。該印刷業界では、入稿、デザインやレイアウト、カンプ（プリンタ出力によるプレゼンテーション）、校正（レイアウト修正や色修正）、校正刷り（プルーフプリント）、版下作成、印刷、後処理加工、発送といった具合に様々な工程を踏んで作業を進めてきた。これは、上述のような印刷機の利用には版下作成を欠かすことができず、一度版下を作成すると、その修正は容易でなく、且つコスト的にかなり不利であるため、入念な校正、即ちレイアウトのチェックや色の確認作業が必須であったためである事等に起因する。このように、この手の業界では、大掛かりな装置を必要とし、尚且つ、クライアントが所望する印刷物を作成するのにある程度の時間も必要であった。しかもこれらそれぞれの作業には専門知識が必要であり、いわば職人と呼ばれる熟練者のノウハウが必要であった。
【０００３】
一方最近では、電子写真方式やインクジェット方式の印刷装置の高速化、高画質化に伴い、上記のような印刷業界に対抗して、プリント・オン・デマンド（Ｐｒｉｎｔ Ｏｎ  Ｄｅｍａｎｄ：以下、ＰＯＤと表記する）と呼ばれる市場が出現しつつある。ＰＯＤでは、印刷装置で扱うジョブより比較的小ロットのジョブを、大掛かりな装置やシステムを用いずに、短納期で取り扱えることを目指して、上記のような大規模な印刷機、印刷手法に変わって、例えば、ディジタル複写機やディジタル複合機等のディジタル画像形成装置を最大限に活用して、電子データを用いたディジタルプリントを実現している。このようなＰＯＤ市場では、従来の印刷業界に比べてディジタル化が融合し、コンピュータを利用した管理、制御が浸透してきており、コンピュータを利用してある程度、印刷業界のレベルに近づこうとしている。このような背景の中で、ＰＯＤ市場には、コピー・プリントショップ印刷会社の印刷サービスと言われるＰＦＰ（Ｐｒｉｎｔ  Ｆｏｒ  Ｐａｙ）や、企業内社内向け印刷サービスと言われるＣＲＤ（Ｃｅｎｔｒａｌｉｚｅｄ  Ｒｅｐｒｏｄｕｃｔｉｏｎ  Ｄｅｐａｒｔｍｅｎｔ）などが存在する。
【０００４】
従来例としては、例えばストップキーを押下した時に、中止するジョブ/一時停止するジョブ/印刷処理を継続するジョブの種類を予め登録しておき、ストップキーが押下された時に一時停止されたジョブの一覧を表示し、そのリストから中止するジョブを選択可能としているものがある（特許文献１参照）。
【特許文献１】特開２０００−７６０８３号公報
【発明の開示】
【発明が解決しようとする課題】
【０００５】
このＰＦＰやＣＲＤにおける利点としては、オフセット印刷に対して安価であるのに加えて、短納期であることが挙げられる。そのため、ＰＯＤ市場においては、いかにして印刷装置のダウンタイムを削減して印刷の生産性を上げるかが課題となっている。
【０００６】
POD市場では、顧客から入稿されたジョブをオペレータが順次処理（印刷）を行うといった形態が主となっている。そのような環境で、緊急のジョブが入って来た場合、現在印刷中のジョブを中断して緊急のジョブを印刷したい場合（割り込み印刷）や、現在のジョブは中断したくないが、現在のジョブの次に優先的に印刷したい（優先印刷）場合がある。さらには、現在印刷中のジョブにフィニッシングの設定が行われており、区切りのよい場所でしか印刷を中断できない場合や、現在印刷中のジョブが優先印刷ジョブである場合は、割り込み印刷を実行した場合に現在のジョブを中断せずに、現在のジョブの次に印刷したいなど、ユーザの要望に応じてジョブの印刷順序の制御を行う必要がある。
【０００７】
しかしながら、割込みの入稿が複数あった場合に、現在印刷中のジョブと、割込みで入稿されたジョブのどちらを優先するのか、現在のジョブを一時中断して割り込ませるのか、現在印刷中のジョブの次（待機しているジョブの前）に印刷を実行するのかなど、特に複数のジョブが待機状態にある場合にはジョブの印刷優先順位の操作が複雑である。
【０００８】
本発明の目的は、現在印刷中のジョブや待機しているジョブの優先順位にもとづいて現在印刷中のジョブの処理を停止するのか、現在の印刷処理は停止せずに後続のジョブの処理を停止するのかをジョブの優先順位に応じて自動的に処理可能なことを特徴とする印刷装置、及び印刷実行方法、ならびに印刷を実行するプログラムを提供することにある。
【課題を解決するための手段】
【０００９】
上記目的を達成するために、請求項１記載の印刷装置であって、外部装置から印刷データを入力する入力手段、前記印刷データの優先度を設定する優先度設定手段、前記優先度に応じて印刷実行処理の順序を制御する印刷順序制御手段、前記入力手段に入力された印刷データを解析し前記印刷順序制御手段での制御にもとづいて印刷処理を実行する印刷処理手段、前記印刷処理手段における印刷実行処理を停止させるための指示を出す停止指示手段、前記停止指示手段の指示に応じて印刷実行処理を停止させる停止手段、前記停止手段によって停止された印刷処理を再開させる再開手段、を備え、前記停止指示手段から印刷の一時停止要求を受けた際に、現在実行中の印刷データの優先度に応じて、現在印刷中の印刷データの印刷実行処理を前記停止手段によって停止させるのか、現在印刷中の印刷データの印刷実行処理は停止させずに、後続の印刷データの印刷実行処理を前記停止手段で停止するのかを制御することを特徴とする印刷装置。
【００１０】
請求項１記載の印刷装置であって、さらに、前記停止指示手段からの指示にもとづいて前記停止手段で印刷実行処理を停止させる際に停止する位置を任意に設定するための停止位置設定手段を備えることを特徴とする印刷装置。
【００１１】
請求項１または請求項２記載の印刷装置であって、さらに、前記停止手段によって停止された印刷実行処理を再開させる時の条件を設定する再開条件設定手段を備えることを特徴とする請求項１記載の印刷装置。
【００１２】
請求項１記載の印刷装置であって、さらに、前記停止手段によって印刷実行処理が停止された場合及び前記再開手段で印刷実行処理が再開された場合に、前記印刷データの送信元にジョブの状況を通知するジョブ状況通知手段を備えることを特徴とする印刷装置。
【発明の効果】
【００１３】
ユーザが印刷したいジョブの緊急度に応じて、印刷処理の順番を任意に変更することが可能となる。
【発明を実施するための最良の形態】
【００１４】
以下、本発明の実施の形態を図面を用いて詳述する。
【００１５】
図１のＭＦＰの詳細ブロック図を用いてＭＦＰ（Ｍｕｌｔｉ  Ｆｕｎｃｔｉｏｎ  Ｐｅｒｉｐｈｅｒａｌ：マルチファンクション周辺機器）の構成について説明する。
【００１６】
ＭＦＰは、自装置内部に複数のジョブのデータを記憶可能なハードディスク等のメモリを具備し、スキャナから出力されたジョブデータに対し該メモリを介してプリンタ部でプリント可能にするコピー機能や、コンピュータ等の外部装置から出力されたジョブデータに対し該メモリを介してプリント部でプリント可能にするプリント機能等の複数の機能を具備した画像形成装置である。
【００１７】
ＭＦＰには、フルカラー機器とモノクロ機器があり、色処理や内部データなどを除いて、基本的な部分において、フルカラー機器がモノクロ機器の構成を包含することが多いため、ここではフルカラー機器を主に説明し、必要に応じて随時モノクロ機器の説明を加えることとする。
【００１８】
又、本システムの構成に関し、上記の如く、複数の機能を具備した複合機能型の画像形成装置を有すると共に、プリント機能のみを具備した単一機能型の画像形成装置等のＳＦＰ（Ｓｉｎｇｌｅ  Ｆｕｎｃｔｉｏｎ  Ｐｅｒｉｐｈｅｒａｌ：単一機能周辺機器）を具備する構成でも良いし、いずれか一方のタイプの画像形成装置のみを具備する構成でも良い。又、何れのタイプの画像形成装置であっても、複数台具備する構成でも良い。いずれにしても、本形態の制御が実現可能な構成であればよい。
【００１９】
図１のＭＦＰの詳細ブロック図に示すように、紙原稿などの画像を読み取り、読み取られた画像データを画像処理する入力画像処理部１０１と、ファクシミリなどに代表される電話回線を利用した画像の送受信を行うＦＡＸ部１０２と、ネットワークを利用して画像データや装置情報をやりとりするＮＩＣ（Ｎｅｔｗｏｒｋ  Ｉｎｔｅｒｆａｃｅ  Ｃａｒｄ）部１０３と、外部装置と画像データなどの情報交換を行う専用インターフェース部１０４、あるいは、ＵＳＢ（Ｕｎｉｖｅｒｓａｌ  Ｓｅｒｉａｌ  Ｂｕｓ）メモリ（リムーバブルメディアの一種）に代表されるＵＳＢ機器と画像データなどを送受するＵＳＢインターフェース（ＵＳＢ  Ｉ／Ｆ）部１０５とを備えている。
【００２０】
そして、ＭＦＰ制御部１０６では、ＭＦＰの用途に応じて画像データを一時保存したり、経路を決定したりといった交通整理の役割を担っている。
【００２１】
次に、文書管理部１１１は、複数の画像データを格納可能なハードディスク等のメモリを具備し、例えば、画像形成装置が具備する制御部（例えばＭＦＰ制御部１０６のＣＰＵなど）が主体となって、入力画像処理部１０１からの画像データや、ＦＡＸ部１０２を介して入力されたファクシミリジョブの画像データや、ＮＩＣ部１０３を介して入力されたコンピュータ等の外部装置からの画像データや、専用Ｉ／Ｆ部１０４やＵＳＢ  Ｉ／Ｆ部１０５を介して入力された様々な画像データ等の複数種類の画像データを、該ハードディスクに複数格納可能に制御して、該ハードディスクに格納された画像データを適宜読み出して、プリンタ部１１３等の出力部に転送して、該プリンタ部１１３によるプリント処理等の出力処理を実行可能に制御する。又、オペレータからの指示により、ハードディスクから読み出した画像データを、コンピュータや他の画像形成装置等の外部装置に転送可能に制御する。
【００２２】
画像データを文書管理部１１１に記憶する際には、必要に応じて、画像データを圧縮して格納したり、逆に圧縮して格納された画像データを読み出す際に元の画像データに伸張して戻したりするなどの処理に対して圧縮伸張部１１０を介して行っている。また、データがネットワークを経由する際には、ＪＰＥＧ、ＪＢＩＧ、ＺＩＰなど圧縮データを使用することも一般知られており、データがＭＦＰに入った後、この圧縮伸張部１１０にて解凍（伸張）される。
【００２３】
また、リソース管理部１１２は、フォント、カラープロファイル、ガンマテーブルなど共通に扱われる各種パラメータテーブルなどが格納されており、必要に応じて呼び出すことができると共に、新しいパラメータテーブルを格納したり、修正して更新したりすることができる。
【００２４】
次に、ＭＦＰ制御部１０６では、ＰＤＬデータが入力された場合には、ＲＩＰ部１０８でＲＩＰ（Ｒａｓｔｅｒ  Ｉｍａｇｅ  Ｐｒｏｃｅｓｓｏｒ）処理を施したり、プリントする画像に対して、必要に応じて出力画像処理部１０９でプリントのための画像処理を行ったりする。更に、その際に作られる画像データの中間データやプリントレディデータ（プリントのためのビットマップデータやそれを圧縮したデータ）を必要に応じて、文書管理部１１１で再度格納することもできる。
【００２５】
そして、画像形成を行うプリンタ部１１３に送られる。プリンタ部１１３でプリントアウトされたシートは後処理部１１４へ送り込まれ、シートの仕分け処理やシートの仕上げ処理が行われる。
【００２６】
ここで、ＭＦＰ制御部１０６は円滑にジョブを流す役割を担っており、ＭＦＰの使い方に応じて、以下のようにパス切り替えが行われている。但し、中間データとして画像データを必要に応じて格納することは一般に知られているが、ここでは文書管理部１１１が始点、終点になる以外のアクセスは表記しない。また、必要に応じて利用される圧縮伸張部１１０と後処理部１１４、あるいは、全体のコアとなるＭＦＰ制御部１０６などの処理は省略して、おおよそのフローがわかるように記載する。
【００２７】
複写機能：入力画像処理部→出力画像処理部→プリンタ部
ＦＡＸ送信機能：入力画像処理部→ＦＡＸ部
ＦＡＸ受信機能：ＦＡＸ部→出力画像処理部→プリンタ部
ネットワークスキャン：入力画像処理部→ＮＩＣ部
ネットワークプリント：ＮＩＣ部→ＲＩＰ部→出力画像処理部→プリンタ部
外部装置へのスキャン：入力画像処理部→専用Ｉ／Ｆ部
外部装置からのプリント：専用Ｉ／Ｆ部→出力画像処理部→プリンタ部
外部メモリへのスキャン：入力画像処理部→ＵＳＢ  Ｉ／Ｆ部
外部メモリからのプリント：ＵＳＢ Ｉ／Ｆ部→ＲＩＰ部→出力画像処理部→プリンタ部
ボックススキャン機能：入力画像処理部→出力画像処理部→文書管理部
ボックスプリント機能：文書管理部→プリンタ部
ボックス受信機能：ＮＩＣ部→ＲＩＰ部→出力画像処理部→文書管理部
ボックス送信機能：文書管理部→ＮＩＣ部
プレビュー機能：文書管理部→操作部
上記以外にも、Ｅ−ｍａｉｌサービスやＷｅｂサーバ機能を初めとして、様々な機能との組み合わせが考えられるが、ここでは割愛する。
【００２８】
また、ボックススキャン、ボックスプリント、ボックス受信、あるいは、ボックス送信とは、文書管理部１１１を利用したデータの書き込みや読み出しを伴うＭＦＰの処理機能であり、ジョブ毎やユーザ毎に文書管理部１１１内のメモリを分割して一次的にデータを保存して、ユーザIDやパスワードを組み合わせてデータの入出力を行う機能である。更に、操作部１０７は、上記の様々なフローや機能を選択したり操作指示したりするためのものであるが、操作部１０７の表示装置の高解像度化に伴い、文書管理部１１１にある画像データをプレビューし、確認後ＯＫならばプリントするといったこともできる。
【００２９】
次に、図２のＭＦＰ制御部のブロック図を用いてＭＦＰ制御部１０６について説明する。
【００３０】
同図は、大きく分けて４つの部分から成っている。すなわち、入力デバイスを管理する入力デバイス管理部２０１、入力されたジョブを解釈する入力ジョブ制御部２０２、ジョブの設定情報を整理する出力ジョブ制御部２０３、そして、出力デバイスを割り当てる出力デバイス管理部２０４である。
【００３１】
入力デバイス管理部２０１は、ＭＦＰのブロック図における各入力部からの入力信号を整理したり、切り替えの順序を決定したりする役割を果たす。ここには、入力デバイス制御部が存在し、各インターフェースを介して送られてくる入力信号としては、紙原稿のスキャン画像信号やネットワークからのＰＤＬデータといったＭＦＰの外部から入力された信号だけでなく、文書管理部１１１に保管してあった画像データの再プリントやＲＩＰ部１０８、出力画像処理部１０９との連携といったＭＦＰ内部で処理された信号なども含まれる。
【００３２】
次に、入力ジョブ制御部２０２は、プロトコル解釈部とジョブ生成部から構成されている。入力デバイス制御部から送られてくる一連の操作要求は、コマンド（プロトコル）と呼ばれる命令信号で受信され、プロトコル解釈部でその操作要求の概要が解釈されて、ＭＦＰ内部で理解できる操作手順に変換される。一方、ジョブ生成部はプリントジョブ、スキャンジョブ、ＰＤＬ展開ジョブ、ファックス受信ジョブ等様々なジョブを生成する。生成されたジョブは、ＭＦＰ内部でどのような処理を施して、どこに送られるかといったそれぞれのシナリオが定義付けされて、そのシナリオに従ってＭＦＰ内部を流れることとなる。
【００３３】
出力ジョブ制御部２０３では、ジョブ解析部、バインダ解析部、ドキュメント解析部及び、ページ解析部において、ジョブの設定情報（俗に、ジョブチケットと呼ばれる）と画像情報が作成される。ジョブ解析部は、印刷する文書名や印刷部数、出力先の排紙トレイ指定、複数バインダで構成されるジョブのバインダ順などジョブ全体に関わる設定情報の詳細が解析される。バインダ解析部は、製本方式の設定やステープルの位置、複数ドキュメントで構成されるバインダのドキュメント順などバインダ全体に関わる設定情報の詳細が解析される。ドキュメント解析部は、複数ページで構成されるドキュメントのページ順、両面印刷の指定、表紙や合紙の付加などドキュメント全体に関わる設定情報の詳細が解析される。ページ解析部は、画像の解像度、画像の向き（ランドスケープ／ポートレイト）等の各種設定ページ全体に関する設定情報の詳細が解析されると共に、ＰＤＬデータが入力された場合にはＲＩＰ部を呼び出してラスタライズ処理を施す。なお、画像情報を生成するに当たっては、ＲＩＰ部を呼び出して、ラスタライズ処理にてページ画像情報が生成される。ページ画像情報は、圧縮伸張部１１０において圧縮された後、文書管理部１１１に設定情報と関連付けされて格納される。
【００３４】
出力デバイス管理部２０４は、デバイス割り当て部と出力デバイス制御部で構成されている。文書管理部１１１に保存された画像情報は圧縮伸張部１１０にて伸張され、関連付けられていた設定情報と一緒に読み出され、設定情報と画像情報は一対になって出力デバイス部に送られてくる。デバイス割り当て部は、定義付けされたそれぞれのジョブのシナリオに基づいて、出力デバイスを割り当てる際に、複数のジョブが同時に処理を進めるとデバイスの競合が発生するため、それを調停する役割を果たす。出力デバイス制御部は、プリンタ部１１３、後処理部１１４などどのデバイスを利用するかをスケジューリングする。
【００３５】
次に４Ｄカラー系ＭＦＰ（Ｍｕｌｔｉ  Ｆｕｎｃｔｉｏｎ  Ｐｅｒｉｐｈｅｒａｌ：マルチファンクション周辺機器）の構成について、図３のＭＦＰ（４Ｄカラー系）断面図を用いて説明する。
【００３６】
４Ｄカラー系ＭＦＰは、スキャナ部、レーザ露光部、感光ドラム、作像部、定着部、給紙／搬送部及び、これらを制御する不図示のプリンタ制御部から構成される。
【００３７】
スキャナ部は、原稿台に置かれた原稿に対して、照明を当てて原稿画像を光学的に読み取り、その像を電気信号に変換して画像データを作成する工程である。
【００３８】
レーザ露光部は、前記画像データに応じて変調されたレーザ光などの光線を等角速度で回転する回転多面鏡（ポリゴンミラー）に入射させ、反射走査光として感光ドラムに照射する。
【００３９】
作像部は、感光ドラムを回転駆動し、帯電器によって帯電させ、前記レーザ露光部によって感光ドラム上に形成された潜像をトナーによって現像し、そのトナー像をシートに転写し、その際に転写されずに感光ドラム上に残った微小トナーを回収するといった一連の電子写真プロセスの現像ユニット（現像ステーション）を４連持つことで実現している。シアン（Ｃ）、マゼンタ（Ｍ）、イエロー（Ｙ）、ブラック（Ｋ）の順に並べられた４連の現像ユニットは、シアンステーションの作像開始から所定時間経過後に、マゼンタ、イエロー、ブラックの作像動作を順次実行していく。このタイミング制御によって、シート上に色ずれのない、フルカラートナー像が転写される。
【００４０】
定着部は、ローラやベルトの組み合わせによって構成され、ハロゲンヒータなどの熱源を内蔵し、前記作像部によってトナー像が転写されたシート上のトナーを、熱と圧力によって溶解、定着させる。
【００４１】
給紙／搬送部は、シートカセットやペーパーデッキに代表されるシート収納庫を一つ以上持っており、前記プリンタ制御部の指示に応じてシート収納庫に収納された複数のシートの中から一枚分離し、作像部・定着部へ搬送する。シートは搬送され、前述の現像ステーションによって、各色のトナー像が転写され、最終的にフルカラートナー像がシート上に形成される。また、シートの両面に画像形成する場合は、定着部を通過したシートを再度作像部へ搬送する搬送経路を通るように制御する。
【００４２】
プリンタ制御部は、ＭＦＰ全体を制御するＭＦＰ制御部と通信して、その指示に応じて制御を実行すると共に、前述のスキャナ、レーザ露光、作像、定着、給紙／搬送の各部の状態を管理しながら、全体が調和を保って円滑に動作できるよう指示を行う。
【００４３】
定着部を通過したシートは、搬送経路上の画像読み取りセンサ部を通り、この画像読み取りセンサ部で印字された画像データが読み取られる。読み取られた画像データは、出力画像の濃度測定や出力画像に異常がないかどうかを確認する検品等に使用される。
【００４４】
次に、図４のＲＩＰ部のブロック図を用いて、ＲＩＰ部１０８の構成について説明する。
【００４５】
ＲＩＰ（Ｒａｓｔｅｒ  Ｉｍａｇｅ  Ｐｒｏｃｅｓｓｏｒ）とは、ＰＤＬ（Ｐａｇｅ Description  Ｌａｎｇｕａｇｅ）で記述された文字、線画、図形などのベクトル情報、あるいは、色、パターン、写真などの画像走査線情報などを同時にページ上に再現するために、それぞれのオブジェクト情報をメモリ上にビットマップ（ラスタイメージ）展開するプロセッサである。元来、ハードウェアとして出力装置側に搭載されていたが、現在では、ＣＰＵの高速化によりソフトウェアで実現されている。
【００４６】
ＲＩＰ部１０８は、一般に、インタプリタ部４０１とレンダリング部４０２の２つの部分から成り立っており、インタプリタ部は、ＰＤＬの翻訳を行うＰＤＬ解釈部と、解釈したＰＤＬデータからディスプレイリストと呼ばれる中間ファイルを生成するＤＬ（Ｄｉｓｐｌａｙ  Ｌｉｓｔ）生成部とで構成されている。一方、レンダリング部は、ディスプレイリストに対してカラーマッチングを行うＣＭＭ（Ｃｏｌｏｒ  Ｍａｔｃｈｉｎｇ  Ｍｏｄｕｌｅ）部と、ディスプレイリストをビットマップ（ラスタイメージ）に展開するＤＬ展開部とで構成されている。
【００４７】
ＰＤＬ解釈部は、入力されてきた様々な種類のＰＤＬデータを解析する部分であり、入力フォーマットとしては、Ａｄｏｂｅ社のＰｏｓｔＳｃｒｉｐｔ（登録商標）言語やＨＰ（Ｈｅｗｌｅｔｔ−Ｐａｃｋａｒｄ）社のＰＣＬ（Ｐｒｉｎｔｅｒ  Ｃｏｎｔｒｏｌ  Ｌａｎｇｕａｇｅ）言語などが有名である。これらは、ページ単位の画像を作成するためのプリンタ制御コードで記載されており、単純な文字コードのほか、図形描画のコードや写真画像のコードなども含まれている。また、ＰＤＦ（Ｐｏｒｔａｂｌｅ  Ｄｏｃｕｍｅｎｔ  Ｆｏｒｍａｔ）というＡｄｏｂｅ社の開発した文書表示用ファイル形式も様々な業界で多用されており、ドライバを使用せず直接ＭＦＰに投げ込まれたこのフォーマットも対象としている。そのほか、ＰＰＭＬ（Ｐｅｒｓｏｎａｌｉｚｅｄ  Ｐｒｉｎｔ  Ｍａｒｋｕｐ  Ｌａｎｇｕａｇｅ）と呼ばれるＶＤＰ（Ｖａｒｉａｂｌｅ  Ｄａｔａ  Ｐｒｉｎｔ）向けフォーマット、ＪＰＥＧ（Ｊｏｉｎｔ  Ｐｈｏｔｏｇｒａｐｈｉｃ  Ｅｘｐｅｒｔｓ  Ｇｒｏｕｐ）やＴＩＦＦ（Ｔａｇｇｅｄ  Ｉｍａｇｅ  Ｆｉｌｅ  Ｆｏｒｍａｔ）と呼ばれるカラー画像の圧縮フォーマットなどにも対応している。
【００４８】
また、ＣＭＭ部では、グレースケール、ＲＧＢ、ＣＭＹＫなど様々な画像データの入力が可能であり、その他の色空間の場合には、一度ＣＲＤ（Ｃｏｌｏｒ  Ｒｅｎｄｅｒｉｎｇ  Ｄｉｃｔｉｏｎａｒｙ）にてＣＭＹＫ空間に変換された後、カラーマッチングが施される。ＣＭＭ部において、ＩＣＣプロファイルによる色調整が行われる。ＩＣＣプロファイルは、ソースプロファイルとプリンタプロファイルとがあり、ソースプロファイルは、ＲＧＢ（またはＣＭＹＫ）データを一度規格化されたＬ＊ａ＊ｂ＊空間に変換し、このＬ＊ａ＊ｂ＊データを再度ターゲットとなるプリンタに適したＣＭＹＫ空間に変換する。このとき、ソースプロファイルは、ＲＧＢプロファイルとＣＭＹＫプロファイルからなっており、入力画像がＲＧＢ系画像（Ｍｉｃｒｏｓｏｆｔ社のアプリケーションソフトやＪＰＥＧ、ＴＩＦＦ画像等）の場合は、ＲＧＢプロファイルが選択され、ＣＭＹＫ系画像（Ａｄｏｂｅ社のＰｈｏｔｏｓｈｏｐやＩｌｌｕｓｔｒａｔｏｒの一部データなど）の場合にはＣＭＹＫプロファイルが選択される。次に、プリンタプロファイルは、各プリンタの色特性に合わせて作られており、ＲＧＢ系画像の場合は、Ｐｅｒｃｅｐｔｕａｌ（色味優先）やＳａｔｕｒａｔｉｏｎ（鮮やかさ優先）を選択するのが好ましく、ＣＭＹＫ系画像の場合は、Ｃｏｌｏｒｉｍｅｔｒｉｃ（色差最小）を選んで最適画像を出力することが多い。また、ＩＣＣプロファイルは、一般にルックアップテーブル形式で作られており、ソースプロファイルでは、ＲＧＢ（またはＣＭＹＫ）データが入力されると、一意にＬ＊ａ＊ｂ＊データに変換され、逆にプリンタプロファイルでは、Ｌ＊ａ＊ｂ＊データからプリンタにマッチしたＣＭＹＫデータに変換される。なお、カラーマッチングを必要としないＲＧＢデータは、デフォルトの色変換によりＣＭＹＫデータに変換されて出力され、カラーマッチングを必要としないＣＭＹＫデータに対しては、そのまま出力される。
【００４９】
このＲＩＰ部１０８で展開された画像データは、圧縮伸張部１１０を介して文書管理部１１１に保持される。
【００５０】
次に図５の出力画像処理部（カラー系）のブロック図を用いて出力画像処理部１０９について説明する。
【００５１】
出力画像処理部１０９（カラー系）に入力される画像データは、大きく分けて複写動作など入力画像処理部１０１からの出力データを扱うＲＧＢ系データと、ネットワークプリント動作などＲＩＰ部１０８からの出力データを扱うＣＭＹＫ系データとに分かれている。
【００５２】
前者の場合、下地除去部に入力され、後者の場合は、出力ガンマ補正部に入力される。
【００５３】
まず、下地除去部では、スキャナで読み取ったＲＧＢ画像データに対して、ＢＥサンプリンタ部１１３の結果に基づいて、下地部を除去するための非線形変換を行う。
【００５４】
次に出力ダイレクトマッピング部において、ＲＧＢ画像データからＣＭＹＫ画像データに変換される。変換においては、ＲＧＢそれぞれの値をルックアップテーブルに入力し、その出力値の総和からＣ（Ｃｙａｎ）成分を作る。同様に、Ｍ（Ｍａｇｅｎｔａ）、Ｙ（Ｙｅｌｌｏｗ）、Ｋ（ｂｌａｃＫ）それぞれの成分もルックアップテーブルとその加算演算で形成している。このとき、入力画像処理部１０１にて検出された像域データに基づいて、３次元のルックアップテーブルが利用されており、文字領域と写真領域ではそれぞれ異なる種類のルックアップテーブルが適用されている。
【００５５】
出力ガンマ補正部では、プリンタに対応した出力画像の濃度補正を行っている。ＣＭＹＫそれぞれ一次元のルックアップテーブルを利用して、画像形成ごと異なる出力画像データのリニアリティを保つ役割を果たしており、一般的にカラーキャリブレーションの結果は、このルックアップテーブルに反映される。
【００５６】
ハーフトーン処理部は、ＭＦＰ機能に応じて、異なる種類のスクリーニングを択一的に適用することができる。一般に、複写動作などでは、モアレの起きにくい誤差拡散系のスクリーニングを利用し、プリント動作では、文字や細線の再現性を考えてディザマトリクスなどを利用した多値スクリーン系のスクリーニングを用いることが多い。前者は、注目画素とその周辺画素に対して誤差フィルタで重み付けし、階調数を保ちながら多値化の誤差を配分して補正していく方法である。一方、後者は、ディザマトリックスの閾値を多値に設定し、擬似的に中間調を表現する方法で、ＣＭＹＫ独立に変換し、入力画像データによって低線数と高線数とを切り替えて再現する。
【００５７】
更に、スムージング処理部では、ＣＭＹＫそれぞれに対し、エッジ部分をパターンマッチングにより検出し、より滑らかに再現されるパターンに変換することでジャギーを軽減する方法である。
【００５８】
次に図６の操作部の模式図を用いて操作部について説明する。
【００５９】
同図はＭＦＰの操作部を表しており、キー入力部とタッチパネル部から成っている。それぞれの詳細を示したものが、図７のキー入力部の模式図及び、図８のタッチパネル部の模式図であり、以下にそれぞれの詳細を説明する。
【００６０】
まず、キー入力部の模式図は、定常的な操作設定を行うことができるキー入力部分である。
【００６１】
操作部電源スイッチは、スタンバイモード（通常動作状態）とスリープモード（メインコントローラは、ネットワークプリントやファクシミリなどに備えて割り込み待ち状態でプログラムを停止して、消費電力を抑えている状態）を切り替えるものであり、システム全体の電源供給を行う主電源スイッチがＯＮ状態で制御することができる。
【００６２】
節電キーは、スタンバイモード時の定着器の制御温度を下げて、プリント可能な状態まで時間は要するが、消費電力を抑えることができるキーである。節電率の設定により制御温度を下げることもできる。
【００６３】
スタートキーは、コピーや送信などの開始を指示するキーであり、ストップキーは、それを中断するキーである。
【００６４】
テンキーは、各種設定の置数を行うためのキーであり、クリアキーは、その置数を解除するためのキーである。ＩＤキーは、ＭＦＰの操作者を認証するために、予め設定された暗証番号を入力させるためのキーである。
【００６５】
リセットキーは、各種設定を無効にし、デフォルト状態に戻すためのキーである。ヘルプキーは、ガイダンスやヘルプを表示させるためのキーであり、ユーザモードキーは、ユーザごとのシステム設定画面に移行するためのキーである。
【００６６】
カウンタ確認キーは、ＭＦＰ内に設けてあるプリント枚数などをカウントするソフトカウンタに記憶されている出力済み枚数を表示させるためのキーである。コピー／プリント／スキャン／ファックスなどの動作モード、カラー／白黒といった色モード、ラージ／スモールといった紙サイズなどに応じて、それぞれの出力済み枚数を表示させることができる。
【００６７】
画像コントラストダイヤルは、タッチパネル部の液晶表示のバックライトを調光するなどして、画面の見易さを調整するためのダイヤルである。
【００６８】
実行／メモリランプは、ジョブの実行中やメモリへのアクセス中に点滅して知らせるランプであり、エラーランプは、ジョブの実行ができない場合やサービスマンコールなどのエラー、あるいは、ジャムや消耗品切れなどを知らせるオペレータコールなどの際に点滅して知らせるランプである。
【００６９】
次に、［タッチパネル部の模式図］は、ＬＣＤ（Ｌｉｑｕｉｄ  Ｃｒｙｓｔａｌ  Ｄｉｓｐｌａｙ：液晶表示部）とその上に貼られた透明電極からなるタッチパネルディスプレイを表した模式図であり、ＬＣＤに表示されるキー相当の部分の透明電極を指で触れると、それを検知して別の操作画面を表示するなど予めプログラムされている。同図は、スタンバイモード時の初期画面であり、設定操作に応じて様々な操作画面を表示することができる。
【００７０】
コピータブは、コピー動作の操作画面に遷移するためのタブキーであり、送信タブは、ファックスやＥ−ｍａｉｌ送信など送信（Ｓｅｎｄ）動作を指示する操作画面に遷移するためのタブキーであり、ボックスタブは、ボックス（ユーザごとにジョブを格納する記憶手段）にジョブを入出力操作するための画面に遷移するためのタブキーであり、オプションタブは、スキャナ設定など拡張機能を設定するためのタブキーであり、システムモニタキーは、ＭＦＰの状態や状況を表示するためのキーであり、各タブを選択することで、それぞれの操作モードに遷移することができる。
【００７１】
色選択設定キーは、カラーコピー、白黒コピー、あるいは自動選択かを予め選択するためのキーであり、倍率設定キーは、等倍、拡大、縮小などの倍率設定を行う画面に遷移するキー、後処理設定キーはステープルやパンチなどの有無、個数、位置などを設定する画面に遷移するキー、両面設定キーは、片面印刷か両面印刷かを選択する画面に遷移するキー、紙サイズ設定キーは、給紙段や紙サイズ、メディアタイプを選択する画面に遷移するキー、画像モード設定キーは、文字モードや写真モードなど原稿画像に適した画像モードを選択するためのキー、濃度設定キーは、出力画像を濃くしたり薄くしたり調整するためのキーである。
【００７２】
次に、ステータス表示部は、スタンバイ状態、ウォームアップ中、ジャム、エラー等の簡易的な状態表示を行う表示部であり、倍率表示部は、倍率設定キーで設定された倍率を表示し、紙サイズ表示部は、紙サイズ設定キーで設定された紙サイズやモードを表示し、枚数表示部は、テンキーで指定された枚数を表示したり、動作中に何枚目を印刷中かを表示したりする。更に、割り込みキーは、コピー動作中に別のジョブを割り込ませる場合に利用し、応用モードキーは、ページ連写、表紙・合紙設定、縮小レイアウト、画像移動など様々な画像処理やレイアウトなどの設定を行う画面に遷移するためのキーである。
【００７３】
次に、印刷中または印刷待ちのジョブの状況画面に関して説明する。図8に示してあるタッチパネル上のプリントタブを選択すると、図９(a)に示してあるジョブ状況画面が表示される。このジョブ状況画面には、印刷中または印刷待ちのジョブのリストが表示され、各ジョブに対して、ジョブ名、ユーザ名、状況等が表示される。ここで、ジョブリスト中の「プリントジョブ４.doc」はリストの背景色が他のジョブとは異なる状態で表示されており、ジョブがユーザによって選択されていることを示している。この選択されたジョブに対して、画面下中央にある「優先印刷実行」ボタンを押下した場合、このジョブは図９(b)に示してあるように、現在印刷中のジョブの次の順番として表示され、「プリントジョブ１.doc」の印刷が完了されたら「プリントジョブ４.doc」の印刷が開始される。
【００７４】
また、画面下中央にある「割込み印刷実行」ボタンを押下した場合は、図９(c)に示してあるように、現在印刷中のジョブ「プリントジョブ１.doc」の印刷が一時中断され、「プリントジョブ４.doc」の印刷が割込んで開始される。「プリントジョブ４.doc」の印刷が完了したら、一時中断されていた「プリントジョブ１.doc」の印刷が再開される。
【００７５】
ここで、ジョブの優先印刷、ジョブの割込み印刷を行う際の印刷装置内部の制御に関して図１と図２を用いて説明する。出力ジョブ制御部２０３に入力されたジョブは、ジョブ解析部によってジョブの設定情報が解析され、バインダ解析部、ドキュメント解析部、ページ解析部による処理を経て、ＲＩＰ部１０８へ送られる。ＲＩＰ部１０８で展開処理が行われた画像データは、圧縮伸張部１１０で圧縮処理され、文書管理部１１１で保持される。この文書管理部１１１では、ジョブの優先度に応じて印刷順序の管理が行われている。この印刷順序の管理の概念を示したものを図１０に示す。図１０(a)はジョブ１〜ジョブ５が通常の優先度のジョブとして印刷待ちキューで待機している状態を示している。この状態で、ジョブ１の印刷が開始され、その後、ジョブ４に対して優先印刷実行がなされたときの印刷キューの状態を示したのが図１０(b)であり、また、ジョブ４に対して割込み印刷実行がなされたときの印刷キューの状態を示したのが図１０(c)である。このように、印刷キューは印刷の優先度（割込み/優先/通常）対応して各々用意され、優先度１（割込み）のキューにジョブがある場合には、他のキューよりも優先的に印刷処理が実行され、次に優先度２（優先）のキューにあるジョブが優先的に処理される。優先度３（通常）のキューに保持されているジョブは、優先度１及び優先度２のキューのジョブが無くなった時点で処理が実行される。
【００７６】
次に、優先度３（通常）のキューにあるジョブの印刷処理が実行されているときに、優先度２（優先）のキューにジョブが入ってきたときの処理方法の詳細に関して図１、図２、図１０を用いて説明する。印刷順番待ちをしているジョブに対して優先印刷実行がなされた時、指定されたジョブは優先度２（優先）のキューに移動される。この時、現在印刷中のジョブに対しては何も制御の変更は行われず、そのまま印刷処理が続行される。一方で、優先度３（通常）のキューに待機しているジョブ２に対しては、MFP制御部１１６において、印刷の一時停止コマンドによって印刷が開始されない状態になる。ジョブ１の印刷が完了し、優先度２（優先）のキューに移されたジョブ４の印刷処理が開始された後、ジョブ２に対する一時停止の状態を解除するための再開コマンドがMFP制御部１１６において実行され、ジョブ２は通常の待機状態となり、ジョブ４の印刷が完了した時点でジョブ２の印刷処理が開始される。
【００７７】
次に、優先度３（通常）のキューにあるジョブの印刷処理が実行されているときに、優先度１（割込み）のキューにジョブが入ってきたときの処理方法の詳細に関して図１、図２、図１０を用いて説明する。印刷順番待ちをしているジョブに対して割込み印刷実行がなされた時、指定されたジョブは優先度１（割込み）のキューに移動される。この時、現在印刷中のジョブに対してはMFP制御部１１６において一時停止コマンドによって印刷処理が一時中断（停止）される。ジョブ１の印刷処理が停止した時点で、ジョブ４の印刷処理が実行され、ジョブ４の印刷が完了した時点でジョブ１の印刷処理が再開される。
【００７８】
次に、優先度２（優先）のキューにあるジョブの印刷処理が実行されている場合に、優先度１（割込み）のキューにジョブが入ってきたときの処理方法に関して説明する。印刷順番待ちをしているジョブに対して割込み印刷実行がなされた時、指定されたジョブは優先度１（割込み）のキューに移動される。この時、現在印刷中のジョブが優先度３（通常）のキューにあるジョブである場合は前述のように処理されるが、現在印刷中のジョブが優先度２（優先）のキューにあるジョブだった場合、MFP制御部１１６において、現在印刷中のジョブに対する一時停止コマンドは実行されず、優先度２（優先）及び優先度３（通常）に待機しているジョブに対して一時停止コマンドが実行され、印刷処理が開始されない状態になる。現在印刷中の優先度２（優先）のキューにあるジョブの印刷が完了した時点で、優先度１（割込み）のキューにあるジョブの印刷が開始され、その後、優先度２（優先）、優先度３（通常）のキューに待機している一時停止状態のジョブに対してMFP制御部１１６において再開コマンドが実行され、現在印刷中の優先度１（割込み）のキューにあるジョブの印刷処理が完了した時点で、順次印刷処理が実行される。
【００７９】
次に、割込み印刷を実行する際に、現在印刷中のジョブを停止させる条件の設定を行うための画面について図１１を用いて説明する。図６に示してある操作部のキー入力部に配置されている「ユーザモード」キーを押下すると、図１１(a)に示してあるユーザモード設定画面が表示される。このユーザモード設定画面に表示されている「割込み印刷設定」ボタンを押下すると、図１１(b)に示してあるように、割込み印刷ジョブを実行する際に、現在印刷中のジョブの停止条件を任意に設定変更可能にするための設定画面が表示される。
【００８０】
例えば、「現在印刷中のジョブを直ちに停止する」を指定した場合は、現在印刷しているジョブの設定に関係なく、割込み印刷ジョブが発生した時点で印刷処理が一時中断され、割込み印刷ジョブの印刷を開始する。また、「現在印刷中の部の切れ目で停止する」が指令された場合は、すぐには停止せず、部の切れ目の時点で印刷処理が停止し、割り込み印刷ジョブの印刷が開始される。また、「優先印刷ジョブ実行中は割り込まない」を指定した場合は、現在印刷中のジョブが優先度２（優先）のキューにあるジョブである場合には割込み印刷ジョブが発生しても処理を停止せず、優先ジョブの印刷が完了した時点で割込み印刷ジョブの印刷処理が開始される。また、「フィニッシング設定のジョブには割り込まない」が指定された場合は、現在印刷中のジョブが、ステイプル等のフィニッシング設定がされている場合には印刷処理を中断せず、ジョブの印刷が終了した時点で割込み印刷ジョブの印刷処理が開始される。これは、フィニッシング設定のジョブを途中で中断した場合には不完全な状態で終了してしまうことにより、再開する際に最初のページから再印刷をする必要になり、中断した時点までに排紙された用紙が無駄になってしまうことを防ぐことが可能となる。また、「現在印刷中のジョブの停止をマニュアルで指示する」が指定されている場合は、割込み印刷ジョブが投入されただけでは現在印刷中のジョブの印刷処理は停止されず、図７のストップキーが押下された時点で現在印刷中のジョブの印刷処理が中断され、割込み印刷ジョブの印刷処理が開始される。
【００８１】
次に、印刷処理が一時停止したジョブの印刷処理を再開する条件を設定する再開印刷設定画面について図１２を用いて説明する。割込み印刷ジョブの印刷が完了し、一時停止していたジョブの印刷処理を再開する時は、この再開印刷設定画面で設定されている内容に基づいて再開処理が実行される。
【００８２】
「停止したジョブの最初から再開する」が選択されている場合は、一時停止した状態に関係なく、ジョブの先頭ページから印刷処理を再開する。また、「停止した部の最初から再開する」が選択されている場合には、一時停止した部の最初のページから印刷処理を再開する。また、「停止したページの続きから再開する」が選択されている場合は、停止した次のページから印刷処理を再開する。また、「任意のページから再開する」が選択された場合は、入力されたページ番号から印刷処理が再開される。このページ番号入力部に何も入力されていない場合は、図７のスタートキーが押下された時点で、印刷を再開するページ番号の指定画面（不図示）が表示され、その入力内容に従って印刷処理が再開される。
【００８３】
次に、印刷処理のフローを図１３を用いて説明する。
【００８４】
印刷ジョブを受信した後、ジョブ設定の解析がジョブ解析部で実行され（Ｓ１３０１）、ジョブ設定の解析が終了したら解析したジョブの優先度に応じたキューに格納される（Ｓ１３０２）。次に、各キューにジョブが待機しているかどうかを確認するが、まず、割込み印刷キューにジョブが待機しているかどうかを確認する（Ｓ１３０３）。割込み印刷キューにジョブがある場合は、現在印刷中のジョブがあるかどうか、ある場合にはそれが優先指定または割込み指定のジョブかどうかを確認する（Ｓ１３０４）。一方、割り込み印刷キューにジョブがなかった場合は、優先印刷キューにジョブがあるかどうかを確認する（Ｓ１３０５）。現在印刷中のジョブが割込み指定または優先指定のジョブだった場合、及び、優先印刷キューにジョブがある場合は、優先印刷用の一時停止コマンドを使用して後続のジョブの処理を一時停止する（Ｓ１３０６）。現在印刷中のジョブが割込み指定または優先指定では無かった場合は、割込み印刷実行用の一時停止コマンドを使用して現在印刷中のジョブの印刷処理を停止する（Ｓ１３０７）。この時、図１１の割込み印刷設定画面での設定に基づいて印刷処理の一時停止や中断等の処理の判断及び実行がなされる。
【００８５】
現在印刷中のジョブの印刷処理が停止したかどうかを確認し（Ｓ１３１０）、優先印刷ジョブまたは割込み印刷ジョブの印刷を実行する（Ｓ１３１１）。印刷の実行が完了したら、一時停止したジョブがあるかどうかを確認し（Ｓ１３１２）、一時停止したジョブがある場合は印刷再開処理を実行する（Ｓ１３１３）。
【００８６】
一方、割込み印刷キュー及び優先印刷キューにジョブが待機していない場合は、通常印刷キューにジョブがあるかどうかを確認し（Ｓ１３０８）、ジョブがある場合には印刷処理を実行する（Ｓ１３０９）。
【００８７】
以上述べたように、割込み印刷ジョブが投入された場合に、現在印刷中のジョブが優先印刷設定のジョブなのかどうかを判断し、その判断結果に基づいて現在印刷中のジョブを中断するかどうかの処理を行うことにより、印刷装置やジョブの状況に合わせた最適な印刷処理を行うことが可能となる。また、ジョブの印刷処理実行中に割込み印刷ジョブが投入された時の印刷処理の一時停止するタイミングを、ユーザが任意に設定可能となっているため、早急に現在印刷中のジョブを停止して印刷実行をしたい場合や、現在の印刷している成果物が無駄にならない条件で一時停止させることが可能となるため、ユーザの優先度に合わせたジョブの実行処理が可能となる。
【００８８】
また、本発明の目的は、上記実施の形態の機能を実現するソフトウェアのプログラムコードを記録した記憶媒体（又は記録媒体）を、システム又は装置に供給し、そのシステム或いは装置のコンピュータ（又はＣＰＵやＭＰＵ）が記憶媒体に格納されたプログラムコードを読み出し実行することによっても、達成されることは言うまでもない。
【００８９】
この場合、記憶媒体から読み出されたプログラムコード自体が前述した実施形態の機能を実現することになり、そのプログラムコードを記憶した記憶媒体は本発明を構成することになる。
【００９０】
また、コンピュータが読み出したプログラムコードを実行することにより、前述した実施形態の機能が実現されるだけでなく、そのプログラムコードの指示に基づき、コンピュータ上で稼働しているオペレーティングシステム(ＯＳ)などが実際の処理の一部または全部を行い、その処理によって前述した実施形態の機能が実現される場合も含まれることは言うまでもない。
【００９１】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００９２】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００９３】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。或いは、上記プログラムは、インターネット、商用ネットワーク、若しくはローカルエリアネットワーク等に接続される不図示の他のコンピュータやデータベース等からダウンロードすることにより供給される。
【図面の簡単な説明】
【００９４】
【図１】ＭＦＰの詳細ブロック図
【図２】ＭＦＰ制御部のブロック図
【図３】ＭＦＰ（４Ｄカラー系）断面図
【図４】ＲＩＰ部のブロック図
【図５】出力画像処理部（カラー系）のブロック図
【図６】操作部の模式図
【図７】キー入力部の模式図
【図８】タッチパネル部の模式図
【図９】ジョブ状況画面
【図１０】印刷キューの概念図
【図１１】ユーザモード設定画面
【図１２】再開印刷設定画面
【図１３】印刷ジョブの処理フロー
【符号の説明】
【００９５】
１０１  入力画像処理部
１０２  ＦＡＸ部
１０３  ＮＩＣ部
１０４  専用Ｉ／Ｆ 部
１０５  ＵＳＢ Ｉ／Ｆ部
１０６  ＭＦＰ制御部
１０７  操作部
１０８  ＲＩＰ部
１０９  出力画像処理部
１１０  圧縮伸張部
１１１  文書管理部
１１２  リソース管理部
１１３  プリンタ部
１１４  後処理部
２００  画像処理装置
２０１  入力デバイス管理部
２０２  入力ジョブ制御部
２０３  出力ジョブ制御部
２０４  出力デバイス管理部
４０１  インタプリタ部
４０２  レンダリング部
【図１】
2008110576.tif 000003
【図２】
2008110576.tif 000004
【図３】
2008110576.tif 000005
【図４】
2008110576.tif 000006
【図５】
2008110576.tif 000007
【図６】
2008110576.tif 000008
【図７】
2008110576.tif 000009
【図８】
2008110576.tif 000010
【図９】
2008110576.tif 000011
【図１０】
2008110576.tif 000012
【図１１】
2008110576.tif 000013
【図１２】
2008110576.tif 000014
【図１３】
2008110576.tif 000015